(57)【要約】【課題】この発明は、電源オフ時にＥＩＴ情報を保持するための不揮発性メモリが不必要となるデジタルテレビ放送受信機を提供することを目的とする。【解決手段】デジタルテレビ放送受信機において、電源オフの要因が発生したときには、電源をオフさせる前に、放送波からのＥＩＴ情報の取得処理を行ってＥＩＴ情報を取得するとともに、取得したＥＩＴ情報または自己が保持しているそれと内容が同じＥＩＴ情報をプロバイダサーバ側のユーザ固有の記憶領域に保存させるために、取得したＥＩＴ情報または自己が保持しているそれと内容が同じＥＩＴ情報を上記プロバイダサーバに転送する第１手段、電源がオンされたときに、上記プロバイダサーバ側の上記ユーザ固有の記憶領域に保存されているＥＩＴ情報を取得するために、上記プロバイダサーバに対して転送要求を行う第２手段を備えている。【選択図】  図１
2005006179.tif 000002
【特許請求の範囲】
【請求項１】
デジタルテレビ放送受信機のユーザのために割り当てられたユーザ固有の記憶領域が設けられている所定のプロバイダサーバに、ネットワークを介して接続されているデジタルテレビ放送受信機において、
電源オフの要因が発生したときには、電源をオフさせる前に、放送波からのＥＩＴ情報の取得処理を行ってＥＩＴ情報を取得するとともに、取得したＥＩＴ情報または自己が保持しているそれと内容が同じＥＩＴ情報を上記プロバイダサーバ側の上記ユーザ固有の記憶領域に保存させるために、取得したＥＩＴ情報または自己が保持しているそれと内容が同じＥＩＴ情報を上記プロバイダサーバに転送する第１手段、
電源がオンされたときに、上記プロバイダサーバ側の上記ユーザ固有の記憶領域に保存されているＥＩＴ情報を取得するために、上記プロバイダサーバに対して転送要求を行う第２手段、
を備えていることを特徴とするデジタルテレビ放送受信機。
【請求項２】
第１手段は、放送波からのＥＩＴ情報の取得処理によって取得したＥＩＴ情報とネットワークが同じＥＩＴ情報が上記プロバイダサーバ側の上記ユーザ固有の記憶領域に保存されていないとき、若しくは放送波からのＥＩＴ情報の取得処理によって取得したＥＩＴ情報とネットワークが同じＥＩＴ情報が上記プロバイダサーバ側の上記ユーザ固有の記憶領域に保存されているときであってかつ両ＥＩＴ情報の内容が異なるときに、放送波からのＥＩＴ情報の取得処理によって取得したＥＩＴ情報または自己が保持しているそれと同じ内容のＥＩＴ情報を上記プロバイダサーバに転送するものであり、
放送波からのＥＩＴ情報の取得処理によって取得したＥＩＴ情報とネットワークが同じＥＩＴ情報が上記プロバイダサーバ側の上記ユーザ固有の記憶領域に保存されているときであってかつ両ＥＩＴ情報の内容が異なるときには、上記ユーザ固有の記憶領域に保存されている上記ＥＩＴ情報を削除させるための指令を上記プロバイダサーバに送信した後に、放送波から取得した当該ＥＩＴ情報または自己が保持しているそれと同じ内容のＥＩＴ情報を上記プロバイダサーバに転送するものであることを特徴とする請求項１に記載のデジタルテレビ放送受信機。
【発明の詳細な説明】
【０００１】
【発明の属する技術分野】
この発明は、デジタルテレビ放送受信機に関する。
【０００２】
【従来の技術】
デジタルテレビ放送では、番組を構成するデータの他、サービス情報等が送出されている。デジタルテレビ放送受信機では、放送視聴中にサービス情報が蓄積される。
【０００３】
放送視聴中に蓄積可能なサービス情報としては、次のようなものがある。
【０００４】
（１）ＳＤＴ（サービス情報）
再送周期は３秒程度である。ＳＤＴはほとんどの場合更新されない。
（２）ＥＬＴｐｆ（現在と次番組に関する番組情報）
再送周期は３秒程度である。ＥＬＴｐｆは、番組更新（時間進行）と同時に更新される。
（３）ＥＩＴｓｃｈｅｄｕｌｅ（ＥＰＧ情報）
再送周期は６分程度である。１日を３時間単位で８つのセグメントとして送信される。全局ＳＩでは、最大８日分のデータが送信されている。日時更新時に新しいセグメントとしてデータが更新される。
【０００５】
【発明が解決しようとする課題】
ＥＩＴｓｃｈｅｄｕｌｅ（以下、ＥＩＴ情報という）は番組表（番組ガイド）を表示するために必要な情報であるが、受信機の電源オン時に番組表を表示させるためには、放送視聴中に蓄積したＥＩＴ情報を電源オフ時に保持しておく必要がある。そのためには、電源オフ時にＥＩＴ情報を保持しておくための不揮発性メモリが必要となる。
【０００６】
この発明は、電源オフ時にＥＩＴ情報を保持するための不揮発性メモリが不必要となるデジタルテレビ放送受信機を提供することを目的とする。
【０００７】
【課題を解決するための手段】
請求項１に記載のデジタルテレビ放送受信機は、デジタルテレビ放送受信機のユーザのために割り当てられたユーザ固有の記憶領域が設けられている所定のプロバイダサーバに、ネットワークを介して接続されているデジタルテレビ放送受信機において、電源オフの要因が発生したときには、電源をオフさせる前に、放送波からのＥＩＴ情報の取得処理を行ってＥＩＴ情報を取得するとともに、取得したＥＩＴ情報または自己が保持しているそれと内容が同じＥＩＴ情報を上記プロバイダサーバ側の上記ユーザ固有の記憶領域に保存させるために、取得したＥＩＴ情報または自己が保持しているそれと内容が同じＥＩＴ情報を上記プロバイダサーバに転送する第１手段、電源がオンされたときに、上記プロバイダサーバ側の上記ユーザ固有の記憶領域に保存されているＥＩＴ情報を取得するために、上記プロバイダサーバに対して転送要求を行う第２手段を備えていることを特徴とする。
【０００８】
請求項２に記載の発明は、請求項１に記載のデジタルテレビ放送受信機において、第１手段は、放送波からのＥＩＴ情報の取得処理によって取得したＥＩＴ情報とネットワークが同じＥＩＴ情報が上記プロバイダサーバ側の上記ユーザ固有の記憶領域に保存されていないとき、若しくは放送波からのＥＩＴ情報の取得処理によって取得したＥＩＴ情報とネットワークが同じＥＩＴ情報が上記プロバイダサーバ側の上記ユーザ固有の記憶領域に保存されているときであってかつ両ＥＩＴ情報の内容が異なるときに、放送波からのＥＩＴ情報の取得処理によって取得したＥＩＴ情報または自己が保持しているそれと同じ内容のＥＩＴ情報を上記プロバイダサーバに転送するものであり、放送波からのＥＩＴ情報の取得処理によって取得したＥＩＴ情報とネットワークが同じＥＩＴ情報が上記プロバイダサーバ側の上記ユーザ固有の記憶領域に保存されているときであってかつ両ＥＩＴ情報の内容が異なるときには、上記ユーザ固有の記憶領域に保存されている上記ＥＩＴ情報を削除させるための指令を上記プロバイダサーバに送信した後に、放送波から取得した当該ＥＩＴ情報または自己が保持しているそれと同じ内容のＥＩＴ情報を上記プロバイダサーバに転送するものであることを特徴とする。
【０００９】
【発明の実施の形態】
以下、図面を参照して、この発明の実施の形態について説明する。
【００１０】
図１は、デジタルテレビ放送受信機とプロバイダサーバとを示している。
【００１１】
このデジタル放送受信機はＢＳデジタル放送、ＣＳデジタル放送、地上波デジタル放送を受信する機能を備えているものとする。
【００１２】
デジタルテレビ放送受信機１は、インターネットを介してプロバイダサーバ側の認証サーバ２に接続されている。認証サーバ２は、イーサネット（登録商標）を介して複数のプロバイダサーバ側のデータサーバ１１、１２、１３に接続されている。
【００１３】
各データサーバ１１、１２、１３は、複数のユーザ固有の記憶領域を備えている。この例では、データサーバ１３の記憶領域ＵＳＲ（ｉ）が、デジタルテレビ放送受信機１のユーザのために割り当てられたユーザ固有の記憶領域であるとする。
【００１４】
デジタルテレビ放送受信機１の特徴の概要は次の点にある。つまり、デジタルテレビ放送受信機１は、電源オフの要因が発生したときには、電源をオフさせる前に、放送波からのＥＩＴｓｃｈｅｄｕｌｅ（以下、ＥＩＴ情報という）の取得処理を行ってＥＩＴ情報を取得するとともに、取得したＥＩＴ情報または自己が保持しているそれと内容が同じＥＩＴ情報を上記データサーバ１３側の上記ユーザ固有の記憶領域ＵＳＲ（ｉ）に保存させるために、取得したＥＩＴ情報を上記データサーバ１３に転送する
【００１５】
そして、デジタルテレビ放送受信機１は、電源がオンされたときに、上記データサーバ１３側の上記ユーザ固有の記憶領域ＵＳＲ（ｉ）に保存されているＥＩＴ情報を取得するために、上記データサーバ１３に対して転送要求を行う。これにより、上記データサーバ１３のユーザ固有の記憶領域ＵＳＲ（ｉ）に記憶されているＥＩＴ情報を取得して受信機１側のＲＡＭ内のＳＩバッファに保存する。このため、受信機１側に、受信機１の電源がオフされているときにＥＩＴ情報を保持するための不揮発性メモリが不要となる。
【００１６】
図２は、データサーバ１３の記憶領域ＵＳＲ（ｉ）にＥＩＴ情報が蓄積された状態を示している。この例では、ＢＳデジタル放送に対するＥＩＴ情報が蓄積されている例を示している。
【００１７】
この例では、各ファイル２１〜２８は、１日単位の放送日毎のＥＩＴ情報からなる。各ファイル２１〜２８の右横に記載された文字列は、ファイル名を示している。先頭の４ビット（１６進数表記）は、ネットワークＩＤを示している。この例では、ＢＳデジタル放送であるので、”０００４”となっている。ＣＳデジタル放送では、ネットワークＩＤは２種類あり、一方は”０００６”で、他方は”０００７”である。地上波デジタル放送においては、放送局毎にネットワークＩＤが与えられている。
【００１８】
ネットワークＩＤの次の６ビットは、そのファイルが記憶領域ＵＳＲ（ｉ）に保存された日を表している。この例では、”０３０３１０”となっており、２００３年３月１０日を意味している。記号”＿”の右側の４ビットは、ＥＩＴ情報に対応する番組の放送日を表していてる。”０３１０”であれば３月１０日を表し、”０３１５”であれば３月１５日を表している。
【００１９】
図３は、電源オフ時の受信機１の処理手順を示している。
【００２０】
電源オフ操作、予約実行の終了等の電源オフの要因が発生すると（ステップ１）、ＥＩＴ情報を取得すべきネットワークリストを作成する（ステップ２）。つまり、受信可能なネットワークの全てまたはそのうちの一部のネットワークのリストを作成する。
【００２１】
次に、データサーバ１３と通信を行うことにより、データサーバ１３のユーザ固有の記憶領域ＵＳＲ（ｉ）に記憶されている各ファイルのファイル名を取得する（ステップ３）。
【００２２】
次に、削除リストおよび追加リストを初期化する（ステップ４）。ここで、削除リストとは、記憶領域ＵＳＲ（ｉ）に記憶されているネットワーク単位のＥＩＴ情報のうち、削除すべきＥＩＴ情報に対応するネットワークＩＤのリストを意味し、追加リストとは記憶領域ＵＳＲ（ｉ）に追加すべきＥＩＴ情報に対応するネットワークＩＤのリストを意味する。
【００２３】
上記ステップ２で作成したネッワークリストに挙げられたネットワーク毎に、ステップ５（ＬＯＯＰ  ＳＴＡＲＴ）〜ステップ２１（ＬＯＯＰ  ＥＮＤ）のＬＯＯＰ処理が行われる。
【００２４】
ＬＯＯＰ処理では、まず、対象となっているネットワークに選局を行った後、当該ネットワークが、ＥＩＴ情報の送出を行っているかＥＩＴ情報の送出を行っていないかを判別する（ステップ６）。ＥＩＴ情報の送出を行っていない場合には、上記ステップ３で取得したファイル名に基づいて、当該ネットワークに対応するＥＩＴ情報が記憶領域ＵＳＲ（ｉ）に保存されているか否かを判別する（ステップ７）。
【００２５】
当該ネットワークに対応するＥＩＴ情報が記憶領域ＵＳＲ（ｉ）に保存されている場合には、そのＥＩＴ情報の内容は信頼できないものになっている可能性があるので、当該ネットワークＩＤを削除リストに追加した後（ステップ８）、ステップ２１に移行する。当該ネットワークに対応するＥＩＴ情報が記憶領域ＵＳＲ（ｉ）に保存されていない場合には、ステップ２１に移行する。
【００２６】
上記ステップ６において、当該ネットワークがＥＩＴ情報の送出を行っていると判別した場合には、ＥＩＴ情報の送出周期を取得する（ステップ９）。そして、ＥＩＴ情報の収集処理を開始する（ステップ１０）。つまり、ＥＩＴ情報の送出周期に相当する時間を計時する周期カウンタを起動させた後（ステップ１１）、ＥＩＴ情報の取得処理を開始する（ステップ１２）。周期カウンタがカウントアップすると、つまり、送出周期に相当時間が経過すると（ステップ１３）、ＥＩＴ情報の取得処理を終了する（ステップ１４）。ＥＩＴ情報の取得処理の詳細については後述する。
【００２７】
ＥＩＴ情報の取得処理が終了すると、電源オン時にデータサーバ１３から取得した当該ネットワークに対応するＥＩＴ情報に比べて、今回取得したＥＩＴ情報が更新されているか否かを判別する（ステップ１５）。更新されている場合には（ステップ１６でＹＥＳ）、当該ネットワークＩＤを追加リストに追加する（ステップ１７）。また、上記ステップ３で取得したファイル名に基づいて、当該ネットワークに対応するＥＩＴ情報が記憶領域ＵＳＲ（ｉ）に保存されているか否かを判別する（ステップ１８）。当該ネットワークに対応するＥＩＴ情報が記憶領域ＵＳＲ（ｉ）に保存されている場合には、当該ネットワークＩＤを削除リストに追加した後（ステップ１９）、ＥＩＴ情報の収集処理を終了する（ステップ２０）。そして、ステップ２１に移行する。
【００２８】
上記ステップ１６において、電源オン時にデータサーバ１３から取得した当該ネットワークに対応するＥＩＴ情報に比べて、今回取得したＥＩＴ情報が更新されていないと判別した場合には、ＥＩＴ情報の収集処理を終了する（ステップ２０）。そして、ステップ２１に移行する。また、上記ステップ１８で当該ネットワークに対応するＥＩＴ情報が記憶領域ＵＳＲ（ｉ）に保存されていないと判別した場合には、ＥＩＴ情報の収集処理を終了する（ステップ２０）。そして、ステップ２１に移行する。
【００２９】
ステップ２１では、上記ステップ２で作成したネッワークリストに挙げられたネットワークの全てに対するＬＯＯＰ処理が終了していない場合には、ステップ５に戻り、上記ステップ２で作成したネッワークリストに挙げられたネットワークの全てに対するＬＯＯＰ処理が終了した場合には、ステップ２２に移行する。
【００３０】
ステップ２２では、削除リストおよび追加リストのいずれかにネットワークＩＤが存在しているか否かを判別する。削除リストおよび追加リストのいずれにもネットワークＩＤが存在していない場合には、受信機１の電源をオフする（ステップ２７）。
【００３１】
削除リストおよび追加リストのいずれかにネットワークＩＤが存在している場合には、つまり、削除リストおよび追加リストの一方または両方にネットワークＩＤが存在している場合には、データサーバ１３との通信を開始し（ステップ２３）、削除リストにネットワークＩＤが存在している場合には、削除リストに存在しているネットワークＩＤに対応するＥＩＴ情報を記憶領域ＵＳＲ（ｉ）から削除するための要求をデータサーバ１３に送信する（ステップ２４）。これにより、削除リストに存在しているネットワークＩＤに対応するＥＩＴ情報が、記憶領域ＵＳＲ（ｉ）から削除される。
【００３２】
また、追加リストにネットワークＩＤが存在している場合には、追加リストに存在しているネットワークＩＤに対応するＥＩＴ情報を記憶領域ＵＳＲ（ｉ）に書き込むために、追加リストに存在しているネットワークＩＤに対応するＥＩＴ情報をデータサーバ１３に転送する（ステップ２５）。具体的には、追加リストに存在している各ネットワークＩＤに対応するＥＩＴ情報を放送日単位でファイル化した後、ネットワークＩＤ、保存日（現在日）、放送日を考慮してファイル名を付けてから、書き込み要求とともに作成したファイルを転送する。これにより、追加リストに存在しているネットワークＩＤに対応するＥＩＴ情報が、データサーバ１３側の記憶領域ＵＳＲ（ｉ）に書き込まれる。そして、通信を終了した後（ステップ２６）、受信機１の電源をオフする（ステップ２７）。
【００３３】
図４は、電源オン時の受信機１の処理手順を示している。
【００３４】
電源がオンすると（ステップ３１）、受信機１が認識しているネットワークリストを作成する（ステップ３２）。
【００３５】
図５は、ネットワークリストの例を示している。ネットワークリストは、ネットワークＩＤと、各ネットワークＩＤに対応するＥＩＴ情報の状態フラグＦから構成されている。状態フラグＦは、”０”、”１”または”２”の値を取る。電源オン時には、状態フラグＦは”０”である。電源オン時にデータサーバ１３から対応するＥＩＴ情報がロードされると、状態フラグＦは”１”となる。また、電源オン時にロードしたＥＩＴ情報の内容が更新された場合には、状態フラグＦは”２”となる。
【００３６】
データサーバ１３と通信を行うことにより、データサーバ１３のユーザ固有の記憶領域ＵＳＲ（ｉ）に記憶されている各ファイルのファイル名を取得する（ステップ３３）。
【００３７】
上記ステップ３２で作成したネッワークリストに上げられたネットワーク毎に、ステップ３４（ＬＯＯＰ  ＳＴＡＲＴ）〜ステップ４３（ＬＯＯＰ  ＥＮＤ）のＬＯＯＰ処理が行われる。
【００３８】
ＬＯＯＰ処理では、まず、上記ステップ３３で取得したファイル名に基づいて、対象となっているネットワークに対応するＥＩＴ情報がデータサーバ１３のユーザ固有の記憶領域ＵＳＲ（ｉ）に記憶されているか否かを判別する（ステップ３５）。当該ネットワークに対応するＥＩＴ情報がデータサーバ１３のユーザ固有の記憶領域ＵＳＲ（ｉ）に記憶されていない場合には、ステップ４３に移行する。
【００３９】
当該ネットワークに対応するＥＩＴ情報がデータサーバ１３のユーザ固有の記憶領域ＵＳＲ（ｉ）に記憶されている場合には、データサーバ１３から当該ネットワークに対応するＥＩＴ情報を取得する（ステップ３６）。そして、取得した当該ネットワークに対応するＥＩＴ情報のデータサーバ１３への保存日が現在日と同じであるか否かを判別する（ステップ３７）。
【００４０】
取得した当該ネットワークに対応するＥＩＴ情報のデータサーバ１３への保存日が現在日とが同じ場合には、当該ＥＩＴ情報を受信機１のＲＡＭ内のＳＩバッファに転送する（ステップ４０）。そして、当該ネットワークに対応する状態フラグＦの値を”１”に設定した後（ステップ４１）、ステップ４３に移行する。
【００４１】
上記ステップ３７において、取得した当該ネットワークに対応するＥＩＴ情報のデータサーバ１３への保存日が現在日とが異なると判別した場合には、該当するファイル毎に、使用可能か否かを判別する（ステップ３８）。つまり、放送日が現在日より古いものは使用不可能と判別され、放送日が現在日またはそれより新しいものは使用可能と判別される。
【００４２】
使用可能と判別したファイルは、ファイル内の一部のデータを変更する（ステップ３９）。つまり、当該ファイル内のＥＩＴ情報中のテーブルＩＤ、セクション番号を、そのＥＩＴ情報を現在日に取得したと仮定した場合に設定されうるデータに変更する。そして、変更後のＥＩＴ情報を受信機１のＲＡＭ内のＳＩバッファに転送する（ステップ４０）。そして、当該ネットワークに対応する状態フラグＦの値を”１”に設定した後（ステップ４１）、ステップ４３に移行する。
【００４３】
使用不可能と判別したファイルに関しては、データサーバ１３に対して、削除要求を行う（ステップ４２）。そして、ステップ４３に移行する。
【００４４】
ステップ４３では、上記ステップ３２で作成したネッワークリストに挙げられたネットワークの全てに対するＬＯＯＰ処理が終了していない場合には、ステップ３４に戻り、上記ステップ３２で作成したネッワークリストに挙げられたネットワークの全てに対するＬＯＯＰ処理が終了した場合には、ステップ４４に移行する。ステップ４４では、放送受信動作を開始する。
【００４５】
図６は、ＥＩＴ情報の受信処理手順を示している。
【００４６】
ＥＩＴ情報の受信処理は、図３のステップ１２〜ステップ１４において実行される他、受信機１よる放送受信中にも実行される。なお、放送受信中には、図６の処理が繰り返し行われる。
【００４７】
ＥＩＴ情報を放送波から受信すると（ステップ５１）、受信機１のＲＡＭ内の作業エリアに一旦記憶する。そして、受信機１のＲＡＭ内のＳＩバッファの内容を確認する（ステップ５２）。つまり、受信したＥＩＴ情報とネットワークが同じＥＩＴ情報がＳＩバッファに既に存在しているか否かを判別する。
【００４８】
受信したＥＩＴ情報とネットワークが同じＥＩＴ情報がＳＩバッファに既に存在していない場合には（ステップ５３でＮＯ）、受信したＥＩＴ情報をＳＩバッファに新規に書き込むとともに（ステップ５４）、当該ネットワークに対応する状態フラグＦの値を”２”に設定する（ステップ５５）。そして、今回の取得処理を終了する。
【００４９】
受信したＥＩＴ情報とネットワークが同じＥＩＴ情報がＳＩバッファに既に存在している場合には（ステップ５３でＹＥＳ）、受信したＥＩＴ情報がＳＩバッファ内の対応するＥＩＴ情報に比べて更新されているか否かを判別する（ステップ５６）。更新されている場合には、ＳＩバッファ内の対応するＥＩＴ情報を、受信したＥＩＴ情報に書き換えるとともに（ステップ５７）、当該ネットワークに対応する状態フラグＦの値を”２”に設定する（ステップ５５）。そして、今回の取得処理を終了する。
【００５０】
上記ステップ５６において、受信したＥＩＴ情報がＳＩバッファ内の対応するＥＩＴ情報に比べて更新されていないと判別した場合には、ＳＩバッファへの書き込み処理を行うことなく、今回の取得処理を終了する。
【００５１】
図３のステップ１５では、今回取得したＥＩＴ情報が、電源オン時にデータサーバ１３から取得した当該ネットワークに対応するＥＩＴ情報に比べて更新されているか否かを判別しているが、この判定は当該ネットワークに対応する状態フラグＦに基づいて行われる。つまり、状態フラグＦの値が”２”である場合には、今回取得したＥＩＴ情報が、電源オン時にデータサーバ１３から取得した当該ネットワークに対応するＥＩＴ情報に比べて更新されていると判別する。
【００５２】
なお、複数のデジタルテレビ放送受信機によって、ＥＩＴ情報がデータサーバ１３側に保存されるような場合には、データサーバ上でそれらを相互補間し、これによって得られた総合的なＥＩＴ情報を、各デジタルテレビ放送受信機に提供するようにしてもよい。
【００５３】
【発明の効果】
この発明によれば、電源オフ時にＥＩＴ情報を保持するための不揮発性メモリが不必要となる。
【図面の簡単な説明】
【図１】デジタルテレビ放送受信機とプロバイダサーバとを示すブロック図である。
【図２】データサーバ１３の記憶領域ＵＳＲ（ｉ）にＥＩＴ情報が蓄積された状態を示す模式図である。
【図３】電源オフ時の受信機１の処理手順を示すフローチャートである。
【図４】電源オン時の受信機１の処理手順を示すフローチャートである。
【図５】ネットワークリストの例を示す模式図である。
【図６】ＥＩＴ情報の受信処理手順を示すフローチャートである。
【符号の説明】
１  デジタルテレビ放送受信機
２  認証サーバ
１３  データサーバ
【図１】
2005006179.tif 000003
【図２】
2005006179.tif 000004
【図３】
2005006179.tif 000005
【図４】
2005006179.tif 000006
【図５】
2005006179.tif 000007
【図６】
2005006179.tif 000008